(57)【要約】  【課題】  受信位置情報の取得や負荷の増大する処理を行うことなく、受信位置に応じた地域のコンテンツを受信することができる受信装置を提供すること。  【解決手段】  受信装置１０は、地上デジタル放送波を受信し復調する放送受信復調部１１と、ＤＳＲＣ信号を受信し復号するＤＳＲＣ受信復号部１２と、データ放送用のコンテンツを蓄積するメモリ部１３と、放送受信復調部１１及びメモリ部１３からのデータをデコードするデコード部１４と、デコード部１４からの信号をモニタに表示させる表示部１５と、装置全体の動作を制御する制御部１６とを備える。【選択図】  図１
2006319400.tif 000002
【特許請求の範囲】
【請求項１】
第１のエリアに向けて送信された第１のコンテンツを受信する第１のコンテンツ受信手段と、前記第１のエリアよりも狭い第２のエリアに向けて送信された第２のコンテンツを受信する第２のコンテンツ受信手段と、受信された前記第１のコンテンツと前記第２のコンテンツとを併合するコンテンツ併合手段とを備えたことを特徴とする受信装置。
【請求項２】
前記第１及び前記第２のコンテンツを記憶するコンテンツ記憶手段と、記憶された前記第１のコンテンツと前記第２のコンテンツとを同一化して更新処理を実行するコンテンツ更新処理手段とを備え、前記第１のコンテンツは、予め定められた名前空間を有し、前記第２のコンテンツは、前記第１のコンテンツの前記名前空間に基づいて前記第１のコンテンツと共に前記コンテンツ記憶手段に記憶されることを特徴とする請求項１に記載の受信装置。
【請求項３】
前記第１及び前記第２のコンテンツをモニタに表示させる表示部を備え、前記第１及び前記第２のコンテンツの少なくとも一方は、予め定められた優先度情報を有し、前記表示部は、前記優先度情報に基づいて前記第１及び前記第２のコンテンツのいずれかを優先的に表示することを特徴とする請求項１又は請求項２に記載の受信装置。
【請求項４】
前記第１のコンテンツは、地上デジタル放送のデータ放送コンテンツであり、前記コンテンツ更新処理手段は、前記地上デジタル放送で用いられる割り込み処理に基づいて前述の更新処理を実行することを特徴とする請求項１から請求項３までのいずれか１項に記載の受信装置。
【請求項５】
請求項１から請求項４までのいずれか１項に記載の受信装置と、前記第１のコンテンツを配信する第１のコンテンツ配信設備と、前記第２のコンテンツを配信する第２のコンテンツ配信設備とを備えたことを特徴とするコンテンツ配信システム。
【請求項６】
前記第２のコンテンツ配信設備は、互いに異なる前記第２のコンテンツを複数の前記第２のエリアに配信する際に、複数の前記第２のエリア毎の緯度及び経度情報を含む受信位置情報に基づいて前記第２のコンテンツを配信することを特徴とする請求項５に記載のコンテンツ配信システム。
【請求項７】
第１のエリアに向けて送信する第１のコンテンツを第１のフォーマットに基づいて制作するステップと、前記第１のエリアよりも狭い第２のエリアに向けて送信する第２のコンテンツを第２のフォーマットに基づいて制作するステップと、前記第１及び前記第２のフォーマットのいずれか一方から他方にフォーマットを変換することによって前記第１のコンテンツと前記第２のコンテンツとを併合するステップとを含むことを特徴とするコンテンツ制作方法。
【請求項８】
前記第１のコンテンツは、地上デジタル放送のデータ放送コンテンツであり、前記第２のコンテンツは、局所的なエリアに係るデータ放送コンテンツであることを特徴とする請求項７に記載のコンテンツ制作方法。
【請求項９】
前記第１のコンテンツ及び前記第２のコンテンツを伝送する信号の少なくとも一方は、前記第１のコンテンツと前記第２のコンテンツとの併合に係る情報を有し、前記併合に係る情報は、前記第１及び前記第２のコンテンツをそれぞれ構成するコンポーネントに係る共有情報及び予め定められた優先度情報を含むことを特徴とする請求項７又は請求項８に記載のコンテンツ制作方法。
【請求項１０】
前記地上デジタル放送で用いられるデータ符号化方式記述子によって前記併合に係る情報を記述することを特徴とする請求項９に記載のコンテンツ制作方法。
【請求項１１】
請求項７から請求項１０までのいずれか１項に記載のコンテンツ制作方法によって制作された前記第１及び前記第２のコンテンツを伝送し、前記第１のコンテンツと前記第２のコンテンツとを併合することを特徴とするコンテンツ伝送方法。
【発明の詳細な説明】
【技術分野】
【０００１】
本発明は、コンテンツを受信する受信装置、コンテンツ配信システム、コンテンツ制作方法及びコンテンツ伝送方法に関する。
【背景技術】
【０００２】
従来、この種の受信装置は、地上デジタル放送波に含まれる複数の地域情報を受信し、ＧＰＳ受信機が取得した緯度及び経度情報を含む受信位置情報に基づいて受信位置に応じた地域情報を抽出するようになっている（例えば、特許文献１及び２参照。）。
【０００３】
【特許文献１】特開２００２−２８０９８３号公報
【特許文献２】特開２００４−３２２９８号公報
【発明の開示】
【発明が解決しようとする課題】
【０００４】
しかしながら、従来の受信装置では、受信位置情報に基づいて受信位置に応じた地域情報を抽出する構成なので、受信位置情報の取得処理のための負荷が増大するという問題があった。
【０００５】
また、地上デジタル放送波のみで多くの地域情報を伝送するには、現状では伝送容量に限界があるので、従来の受信装置では、十分な地域情報が受信できない場合があった。仮に将来、伝送容量が十分増加された場合でも、受信機側において受信位置情報に基づいて地域情報の取得処理をすることは多大な処理負荷を伴うことになり、この処理負荷を軽減する必要がある。
【０００６】
本発明は、このような問題を解決するためになされたものであり、受信位置情報の取得や負荷の増大する処理を行うことなく、受信位置に応じた地域のコンテンツを受信することができる受信装置、コンテンツを配信するコンテンツ配信システム、コンテンツ制作方法及びコンテンツ伝送方法を提供するものである。
【課題を解決するための手段】
【０００７】
本発明の受信装置は、第１のエリアに向けて送信された第１のコンテンツを受信する第１のコンテンツ受信手段と、前記第１のエリアよりも狭い第２のエリアに向けて送信された第２のコンテンツを受信する第２のコンテンツ受信手段と、受信された前記第１のコンテンツと前記第２のコンテンツとを併合するコンテンツ併合手段とを備えた構成を有している。
【０００８】
この構成により、本発明の受信装置は、第１のコンテンツと第２のコンテンツとを併合することによって、自動的に更新処理を行うことができ、受信位置情報の取得や負荷の増大する処理を行うことなく、受信位置に応じた地域のコンテンツを受信することができる。
【０００９】
また、本発明の受信装置は、前記第１及び前記第２のコンテンツを記憶するコンテンツ記憶手段と、記憶された前記第１のコンテンツと前記第２のコンテンツとを同一化して更新処理を実行するコンテンツ更新処理手段とを備え、前記第１のコンテンツは、予め定められた名前空間を有し、前記第２のコンテンツは、前記第１のコンテンツの前記名前空間に基づいて前記第１のコンテンツと共に前記コンテンツ記憶手段に記憶される構成を有している。
【００１０】
この構成により、本発明の受信装置は、第１のコンテンツの名前空間に基づいて第２のコンテンツが第１のコンテンツと共にコンテンツ記憶手段に記憶され、第１のコンテンツと同様に第２のコンテンツの更新処理を行うことができるので、受信位置情報の取得や負荷の増大する処理を行うことなく、受信位置に応じた地域のコンテンツを受信することができる。
【００１１】
さらに、本発明の受信装置は、前記第１及び前記第２のコンテンツをモニタに表示させる表示部を備え、前記第１及び前記第２のコンテンツの少なくとも一方は、予め定められた優先度情報を有し、前記表示部は、前記優先度情報に基づいて前記第１及び前記第２のコンテンツのいずれかを優先的に表示する構成を有している。
【００１２】
この構成により、本発明の受信装置は、優先度に基づいて第１及び第２のコンテンツのいずれかを優先的に表示することができる。
【００１３】
さらに、本発明の受信装置は、前記第１のコンテンツは、地上デジタル放送のデータ放送コンテンツであり、前記コンテンツ更新処理手段は、前記地上デジタル放送で用いられる割り込み処理に基づいて前述の更新処理を実行する構成を有している。
【００１４】
この構成により、本発明の受信装置は、地上デジタル放送で用いられる割り込み処理に基づいて更新処理を容易に実行することができる。
【００１５】
本発明のコンテンツ配信システムは、受信装置と、前記第１のコンテンツを配信する第１のコンテンツ配信設備と、前記第２のコンテンツを配信する第２のコンテンツ配信設備とを備えた構成を有している。
【００１６】
この構成により、本発明のコンテンツ配信システムは、第１のコンテンツと第２のコンテンツとを併合することによって、受信装置に自動的に更新処理を行わせることができ、受信位置情報の取得や負荷の増大する処理を受信装置に行わせることなく、受信位置に応じた地域のコンテンツを受信装置に受信させることができる。
【００１７】
また、本発明のコンテンツ配信システムは、前記第２のコンテンツ配信設備は、互いに異なる前記第２のコンテンツを複数の前記第２のエリアに配信する際に、複数の前記第２のエリア毎の緯度及び経度情報を含む受信位置情報に基づいて前記第２のコンテンツを配信する構成を有している。
【００１８】
この構成により、本発明のコンテンツ配信システムは、地域毎のコンテンツを地域の緯度及び経度情報や、住所情報、郵便番号情報等の受信位置情報に基づいて配信することができる。
【００１９】
本発明のコンテンツ制作方法は、第１のエリアに向けて送信する第１のコンテンツを第１のフォーマットに基づいて制作するステップと、前記第１のエリアよりも狭い第２のエリアに向けて送信する第２のコンテンツを第２のフォーマットに基づいて制作するステップと、前記第１及び前記第２のフォーマットのいずれか一方から他方にフォーマットを変換することによって前記第１のコンテンツと前記第２のコンテンツとを併合するステップとを含む構成を有している。
【００２０】
この構成により、本発明のコンテンツ制作方法は、第１のコンテンツと第２のコンテンツとを併合することによって、受信位置情報の取得や負荷の増大する処理を受信装置に行わせることなく、受信位置に応じた地域のコンテンツを受信装置に受信させることができる。
【００２１】
また、本発明のコンテンツ制作方法は、前記第１のコンテンツは、地上デジタル放送のデータ放送コンテンツであり、前記第２のコンテンツは、局所的なエリアに係るデータ放送コンテンツである構成を有している。
【００２２】
この構成により、本発明のコンテンツ制作方法は、受信位置情報の取得や負荷の増大する処理を受信装置に行わせることなく、地上デジタル放送のデータ放送コンテンツと、受信位置に応じた局所的な地域のコンテンツとを受信装置に受信させることができる。
【００２３】
さらに、本発明のコンテンツ制作方法は、前記第１のコンテンツ及び前記第２のコンテンツを伝送する信号の少なくとも一方は、前記第１のコンテンツと前記第２のコンテンツとの併合に係る情報を有し、前記併合に係る情報は、前記第１及び前記第２のコンテンツをそれぞれ構成するコンポーネントに係る共有情報及び予め定められた優先度情報を含む構成を有している。
【００２４】
この構成により、本発明のコンテンツ制作方法は、第１のコンテンツと第２のコンテンツとの併合する際のコンポーネントの共用情報や優先度情報等を受信装置に伝送し、受信装置に併合を実行させることができる。
【００２５】
さらに、本発明のコンテンツ制作方法は、前記地上デジタル放送で用いられるデータ符号化方式記述子によって前記併合に係る情報を記述する構成を有している。
【００２６】
この構成により、本発明のコンテンツ制作方法は、データ符号化方式記述子の伝送フォーマットの値に特別な値を割り当てることにより、受信装置に併合を実行させることができる。
【００２７】
本発明のコンテンツ伝送方法は、コンテンツ制作方法によって制作された前記第１及び前記第２のコンテンツを伝送し、前記第１のコンテンツと前記第２のコンテンツとを併合する構成を有している。
【００２８】
この構成により、本発明のコンテンツ伝送方法は、第１のコンテンツと第２のコンテンツとを併合することによって、受信位置情報の取得や負荷の増大する処理を受信装置に行わせることなく、受信位置に応じた地域のコンテンツを受信装置に受信させることができる。
【発明の効果】
【００２９】
本発明は、受信位置情報の取得や負荷の増大する処理を行うことなく、受信位置に応じた地域のコンテンツを受信することができるという受信装置、コンテンツ配信システム、コンテンツ制作方法及びコンテンツ伝送方法を提供することができるものである。
【発明を実施するための最良の形態】
【００３０】
以下、本発明の実施の形態について図面を用いて説明する。
【００３１】
まず、本実施の形態の受信装置の構成について図１を用いて説明する。図１は、本実施の形態に係る受信装置のブロック図である。なお、本実施の形態の受信装置が、車両に搭載され、広範囲のエリアに向けて送信される地上デジタル放送波と、局所的なエリアに向けて送信されるＤＳＲＣ（Ｄｅｄｉｃａｔｅｄ  Ｓｈｏｒｔ  Ｒａｎｇｅ  Ｃｏｍｍｕｎｉｃａｔｉｏｎ：狭域通信）の信号とを受信する例を挙げて説明する。
【００３２】
図１に示すように、本実施の形態の受信装置１０は、地上デジタル放送波を受信し復調する放送受信復調部１１と、ＤＳＲＣ信号を受信し復号するＤＳＲＣ受信復号部１２と、データ放送用のコンテンツ（以下「データ放送コンテンツ」という。）を蓄積するメモリ部１３と、放送受信復調部１１及びメモリ部１３からのデータをデコードするデコード部１４と、デコード部１４からの信号をモニタ（図示省略）に表示させる表示部１５と、装置全体の動作を制御する制御部１６とを備えている。
【００３３】
放送受信復調部１１は、地上デジタル放送波を受信するアンテナと、受信された放送波を選局するチューナと、選局された放送波を復調する復調回路と、複数の多重化されたトランスポートストリームから所定のストリームを取り出すフィルタ等とを備え、地上デジタル放送波に含まれるデータ放送コンテンツのファイルをダウンロードしてメモリ部１３に蓄積し、映像信号及び音声信号のデータをデコード部１４に出力するようになっている。なお、放送受信復調部１１は、本発明の第１のコンテンツ受信手段を構成している。
【００３４】
ＤＳＲＣ受信復号部１２は、ＤＳＲＣ信号を受信するアンテナや、ＤＳＲＣ信号を復号する復号回路等で構成され、ＤＳＲＣ信号に含まれるデータ放送コンテンツのファイルをダウンロードしてメモリ部１３に蓄積するようになっている。なお、ＤＳＲＣ受信復号部１２は、本発明の第２のコンテンツ受信手段を構成している。
【００３５】
メモリ部１３は、例えば半導体メモリで構成され、放送受信復調部１１及びＤＳＲＣ受信復号部１２からそれぞれ出力されるデータ放送コンテンツを蓄積するようになっている。なお、メモリ部１３は、本発明のコンテンツ記憶手段を構成している。
【００３６】
デコード部１４は、例えばＣＰＵ（Ｃｅｎｔｒａｌ  Ｐｒｏｃｅｓｓｉｎｇ  Ｕｎｉｔ）、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）等で構成され、ビデオデコーダ、オーディオデコーダ及びデータレコーダを含む。ビデオデコーダ及びオーディオデコーダは、放送受信復調部１１から出力された映像信号及び音声信号のデータをそれぞれデコードし、データレコーダは、メモリ部１３から出力されたデータをデコードするようになっている。
【００３７】
表示部１５は、例えばＣＰＵ、ＲＯＭ、ＲＡＭ、フレームメモリ、映像信号処理回路、音声増幅回路等で構成され、デコード部１４から出力される映像信号、音声信号及びデータ放送コンテンツをモニタに出力するようになっている。
【００３８】
制御部１６は、例えばＣＰＵ、ＲＯＭ、ＲＡＭ等で構成され、受信装置１０の各構成を統括的に制御するようになっている。また、制御部１６のＲＯＭには、後述するＢＭＬ文書を再生するＢＭＬブラウザのプログラムが記憶されており、ＣＰＵによってＢＭＬ文書が再生されるようになっている。なお、制御部１６は、本発明のコンテンツ併合手段及びコンテンツ更新手段を構成している。
【００３９】
なお、図示を省略したが、本実施の形態の受信装置１０は、地上デジタル放送波を送信する地上デジタル放送局設備と、ＤＳＲＣ信号を送信するＤＳＲＣ放送局設備とを含めてコンテンツ配信システムを構成する。この場合、地上デジタル放送局設備及びＤＳＲＣ放送局設備は、それぞれ、本発明の第１のコンテンツ配信設備及び第２のコンテンツ配信設備を構成する。
【００４０】
次に、ＤＳＲＣ及び地上デジタル放送におけるデータ放送コンテンツについて説明し、本発明のデータ放送コンテンツの制作方法及び伝送方法について具体的に述べると共に、本実施形態に係る受信装置１０の特徴について説明する。
【００４１】
ＤＳＲＣは、ＩＴＳ（Ｉｎｔｅｌｌｉｇｅｎｔ  Ｔｒａｎｓｐｏｒｔ  Ｓｙｓｔｅｍ：高度道路交通システム）の１つであり、電波又は光による路車間通信に用いられる通信方式である。具体的には、５．８ＧＨｚ帯のＡＳＫ（Ａｍｐｌｉｔｕｄｅ  Ｓｈｉｆｔ  Ｋｅｙｉｎｇ）変調方式又は４相位相変調方式による無線通信によって、１〜４Ｍｂｐｓの通信速度で双方向通信が行える狭い範囲を対象とした通信方式であり、通信可能な範囲は一般に数ｍから数百ｍである。本実施形態に係る受信装置１０は、ＤＳＲＣによって伝送される局所的な地域に係る地域独自のデータ放送コンテンツを受信するようになっている。地域独自のデータ放送コンテンツの例を挙げれば、特定地域の気象情報やニュース等がある。
【００４２】
本実施形態に係るＤＳＲＣ信号を送信するＤＳＲＣシステムは、例えば図２に示すように構成される。図２において、ＤＳＲＣシステム２０は、地域独自のデータ放送コンテンツを放送する放送局設備２１と、この放送局設備２１に接続された通信ネットワーク２２と、通信ネットワーク２２を介し、グループＡの地域にデータを配信するデータ配信設備２３ａと、グループＢの地域にデータを配信するデータ配信設備２３ｂと、グループＡの地域に信号を送出する複数のアンテナ２４ａと、グループＢの地域に信号を送出する複数のアンテナ２４ｂとを備え、地域独自のデータ放送コンテンツをグループ単位で、走行中の車両に配信するものである。
【００４３】
また、ＤＳＲＣシステムは、図３に示すように構成することもできる。図３において、ＤＳＲＣシステム３０は、グループＡ及びＢの地域にデータを配信するデータ配信設備３１ａを含む放送局設備３１と、この放送局設備３１に接続された通信ネットワーク３２と、通信ネットワーク３２を介し、グループＡの地域に信号を送出する複数のアンテナ３３ａと、グループＢの地域に信号を送出する複数のアンテナ３３ｂとを備え、グループ全体のコンテンツを一元管理しながら、グループからの要求に応じて、地域独自のデータ放送コンテンツを走行中の車両に配信するものである。
【００４４】
ここで、地域独自のデータ放送コンテンツは、各グループの地域と関連付けるため、緯度及び経度情報による位置情報を含む構成とするのが好ましい。この場合、ＤＳＲＣシステムとしては、位置情報に基づき、どのグループにどのデータ放送コンテンツを配信するかを決定する必要がある。そのため、例えば担当するエリアの緯度及び経度情報のテーブルを放送局設備２１又は３１にグループ単位で持たせ、位置情報とグループとの関連付けを行う構成とすることによって、放送局設備２１又は３１は、地域独自のデータ放送コンテンツをどのグループに配信すればよいかを容易に判断できることとなる。
【００４５】
位置情報とグループとの関連付けを行う手法としては、位置情報とグループとを直接関連付けるものだけでなく、ある中間フォーマット、例えば住所情報や郵便番号情報等を介して関連付けを行うものでもよい。なお、位置情報を用いないで、地域独自のデータ放送コンテンツをグループ毎に別個に制作して伝送する構成としてもかまわない。
【００４６】
一方、地上デジタル放送波は、ＵＨＦ（ＵｌｔｒａＨｉｇｈ  Ｆｒｅｑｕｅｎｃｙ）帯の電波を利用し、伝送方式にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）−６４ＱＡＭ（Ｑｕａｄｒａｔｕｒｅ  Ａｍｐｌｉｔｕｄｅ  Ｍｏｄｕｌａｔｉｏｎ）変調が使用されている。地上デジタル放送波は、放送域全体に送信される映像信号及び音声信号のデータと、放送域全体に送信されるデータ放送コンテンツと、これらを表示装置に表示するための制御情報とを含んでいる。地上デジタル放送のデータ放送コンテンツの記述言語としては、ＡＲＩＢ(Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：電波産業会)によって策定された、ＸＭＬ（ｅＸｔｅｎｓｉｂｌｅ  Ｍａｒｋｕｐ  Ｌａｎｇｕａｇｅ）ベースのページ記述言語であるＢＭＬ（Ｂｒｏａｄｃａｓｔ  Ｍａｒｋｕｐ  Ｌａｎｇｕａｇｅ）が使用される。このＢＭＬで記述されたファイルをＢＭＬ文書という。なお、ＢＭＬ文書の再生時において、コンテンツが更新される際には、所定の割り込み事象が発生するようになっている。
【００４７】
地上デジタル放送においては、データ放送コンテンツの伝送としてＭＰＥＧ（Ｍｏｖｉｎｇ  Ｐｉｃｔｕｒｅ  Ｅｘｐｅｒｔｓ  Ｇｒｏｕｐ）−２のデータカルーセル伝送方式が用いられている。ここで、データカルーセル伝送方式とは、データ放送のある帯域において、所定のデータ放送コンテンツを一定期間繰り返して伝送することによって、視聴者がどのタイミングで視聴を開始したとしても、所定の待ち時間でコンテンツを取得することができる伝送方式である。この方式により、例えば、全国各地の天気予報、予想気温、週間天気予報の各データ放送コンテンツを一組として周期的に繰り返して伝送し表示することによって、最新の天気予報の情報を視聴者に提供することができる。
【００４８】
なお、データカルーセル伝送方式において、繰り返し伝送される複数のデータの集合をカルーセルと呼び、各々のデータをモジュールと呼ぶ。これらのモジュールを一意に特定するために名前空間という概念が用いられる。また、１つのカルーセルは１つのコンポーネントに対応している。
【００４９】
以上のように、地上デジタル放送によるデータ放送コンテンツ（以下「放送コンテンツ」という。）の伝送方式は、ＤＳＲＣによるデータ放送コンテンツ（以下「ＤＳＲＣコンテンツ」という。）の伝送方式と異なっているので、両者のデータ放送コンテンツを構成するモジュールのバージョン管理方法や更新処理も異なっている。したがって、両者のデータ放送コンテンツを受信機側の負荷を増大させることなく処理するには、両者のモジュールのバージョン管理方法や更新処理を両者間で同一化するのが好ましい。
【００５０】
そこで、モジュールのバージョン管理方法や更新処理を放送コンテンツとＤＳＲＣコンテンツとで同一化する手法について説明する。
【００５１】
本実施の形態に係る受信装置１０は、ＤＳＲＣ受信復号部１２によって受信されたＤＳＲＣコンテンツをメモリ部１３に展開するとき、放送受信復調部１１によって受信されたデータカルーセル伝送方式による放送コンテンツと同じ名前空間にマッピングされるようＤＳＲＣコンテンツを変換し、放送コンテンツが更新される場合と同等の割り込み事象を発生させることによって、アプリケーションレベルにおいて、放送コンテンツとＤＳＲＣコンテンツとのモジュールの更新処理を同一に行うことができる構成となっている。
【００５２】
具体的には、地上デジタル放送において、ＢＭＬ文書のデータをエントリーコンポーネントであるＥＳ(Ｅｌｅｍｅｎｔａｒｙ  Ｓｔｒｅａｍ)で伝送し、放送域全体に関連するデータはコンポーネントをまたがって参照可能な別のＥＳで伝送する。また、ＤＳＲＣシステムで伝送される地域独自のＤＳＲＣコンテンツは、コンポーネントをまたがって参照可能な別のＥＳで伝送されたものとして変換をかけてメモリ部１３に展開する。どのＥＳで伝送されたものとして変換をかけるかは、例えばＰＭＴ（Ｐｒｏｇｒａｍ  Ｍａｐ  Ｔａｂｌｅ）のデータ符号化方式記述子の伝送フォーマットの値に特別な値を割り当てることにより、特別なコンポーネントとして認識できるようにするのが好ましい。なお、ＰＭＴのデータ符号化方式記述子の伝送フォーマットの値に関する解説は、文献「ＡＲＩＢ  ＳＴＤ−Ｂ２４（４．０版）第二編  ９．３．２  データ符号化方式記述子の付加識別情報領域に記述すべき情報」に記載されている。
【００５３】
ＢＭＬ文書内においては、関数ｌｏｃｋＭｏｄｕｌｅＯｎＭｅｍｏｒｙＥｘ()により、コンポーネントをまたがって参照可能なＥＳ内のモジュールをロックして参照する。その際、制御部１６は、前述の関数によってロックされるデータ放送コンテンツのモジュールバージョンの更新を常に監視するようになっており、更新があった場合には、ＭｏｄｕｌｅＵｐｄａｔｅｄ割り込み事象が発生し、当該モジュールが一度アンロックされ、再びロックされる。ここで、データカルーセルのそれぞれのコンポーネントでは、ＤＩＩ(Ｄｏｗｎｌｏａｄ  Ｉｎｆｏ  Ｉｎｄｉｃａｔｉｏｎ)という制御情報が送られており、この制御情報に含まれるｔｒａｎｓａｃｔｉｏｎ＿ｉｄを監視することによって、制御部１６は、コンポーネント内のコンテンツの更新状況を取得することができる。なお、関数ｌｏｃｋＭｏｄｕｌｅＯｎＭｅｍｏｒｙＥｘ()に関する解説は、文献「ＡＲＩＢ  ＴＲ−Ｂ１４（２．２版）第三編  ５．１２．６．９  動作制御機能の運用（６）ｌｏｃｋＭｏｄｕｌｅＯｎＭｅｍｏｒｙＥｘ()，ｕｎｌｏｃｋＭｏｄｕｌｅＯｎＭｅｍｏｒｙＥｘ()の運用」に記載されている。
【００５４】
したがって、本実施の形態に係る受信装置１０は、ＤＳＲＣで伝送されたモジュールがＤＳＲＣ受信復号部１２によってメモリ部１３に展開されたとき、前述のＭｏｄｕｌｅＵｐｄａｔｅｄ割り込み事象と同等の制御を発生させることにより、放送コンテンツにおけるモジュールが更新されたときと同様の処理をＤＳＲＣコンテンツに対して行うことができる。モジュールのバージョン情報は、一般に、放送コンテンツ及びＤＳＲＣコンテンツのそれぞれの制作システム毎に別々に管理されているので、受信装置１０においても各々のモジュールのバージョン情報を保持し、このバージョン情報に基づいて更新の判断を行う構成とするのが好ましい。この結果、受信装置１０において、放送コンテンツ及びＤＳＲＣコンテンツは、コンポーネントをまたがって参照可能なＥＳ内のモジュールの内容が変化する毎に、割り込み事象が発生し、コンテンツの表示を自動的に更新することが可能となる。
【００５５】
ここで、モジュールの更新処理の同一化について具体例を挙げ、図４を用いてさらに具体的に説明する。図４は、放送コンテンツの構成の一例を示したものである。
【００５６】
図４に示された放送コンテンツは、コンポーネントタグ値が「４０」、「５０」及び「６０」の３つのカルーセル（以下「カルーセル４０、５０及び６０」という。）で構成されている。カルーセル４０、５０及び６０は、換言すれば、それぞれ、固有のタグ値を有するコンポーネントである。
【００５７】
カルーセル４０は、モジュールＩＤ（Ｉｄｅｎｔｉｆｉｃａｔｉｏｎ）が「００００」、「０００１」、「１０００」及び「ｆｆ００」のモジュールを有している。モジュールＩＤが「００００」のモジュールは、リソース名が「ｓｔａｒｔｕｐ．ｂｍｌ」、「２ｎｄＰａｇｅ．ｂｍｌ」、「ｂａｃｋ．ｊｐｇ」及び「ｂｕｔｔｏｎ．ｐｎｇ」のファイルを有している。ここで、「ｓｔａｒｔｕｐ．ｂｍｌ」は、ＢＭＬブラウザによって最初に再生されるＢＭＬ文書のファイルである。なお、モジュールＩＤが「００００」以外のモジュールの構成は、図示を省略している。
【００５８】
カルーセル５０は、モジュールＩＤが「００００」及び「０００１」のモジュールを有している。モジュールＩＤが「００００」のモジュールは、リソース名が「ｗｅａｔｈｅｒ．ｂｍｌ」のファイルを有し、モジュールＩＤが「０００１」のモジュールは、リソース名が「ｄａｔａ．ｂｔｂ」のファイルを有している。ここで、「ｗｅａｔｈｅｒ．ｂｍｌ」は、全国の天気予報を表示するためのＢＭＬ文書のファイルとし、「ｄａｔａ．ｂｔｂ」は、全国のニュース記事を表示するためのバイナリテーブルのファイルとする。
【００５９】
なお、カルーセル６０の構成は、図示を省略している。また、図４に示された放送コンテンツにおいて、前述した「エントリーコンポーネントであるＥＳ」とは、コンポーネントタグ値が「４０」であるカルーセル４０のことをいう。また、前述した「コンポーネントをまたがって参照可能な別のＥＳ」とは、例えばカルーセル４０を基準とした場合、カルーセル５０又は６０のことをいう。また、以下の説明において、例えば「ｓｔａｒｔｕｐ．ｂｍｌ」のファイルを示す場合、「４０／００００／ｓｔａｒｔｕｐ．ｂｍｌ」という名前空間を用いた表現とする。
【００６０】
地上デジタル放送においては、通常、１つのカルーセル内のファイルのみで放送コンテンツを構成する。しかし、複数のカルーセルに含まれるファイルを利用した放送コンテンツを構成することもできる。例えば、図４に示された放送コンテンツの構成において、「４０／００００／ｓｔａｒｔｕｐ．ｂｍｌ」が、コンポーネントをまたがって「５０／０００１／ｄａｔａ．ｂｔｂ」を参照する構成とすることができる。
【００６１】
そこで、放送コンテンツと同様に、ＤＳＲＣ受信復号部１２によって受信された所定のＤＳＲＣコンテンツが例えば「５０／０００１／ｄａｔａ．ｂｔｂ」という名前空間になるようメモリ部１３に展開することによって、地上デジタル放送で用いられているデータ放送コンテンツの更新処理と全く同一に、所定のＤＳＲＣコンテンツの更新処理を扱うことが可能となり、両者のモジュールの更新処理の同一化が実現できる。
【００６２】
なお、特許請求の範囲に記載の「第１のコンテンツと第２のコンテンツとを併合する」とは、前述のようにコンポーネントをまたがって放送コンテンツとＤＳＲＣコンテンツとを併合することをいう。ここで、併合という文言は、ソフトウェア用語のマージ（ｍｅｒｇｅ）に対応するものであり、融合、合併、統合等と換言される場合がある。また、コンポーネントをまたがって放送コンテンツとＤＳＲＣコンテンツとを併合することは、放送コンテンツを基準として見れば、放送コンテンツの所定のモジュールとＤＳＲＣコンテンツの所定のモジュールとを差し替える、又は交換する等と表現することもできる。
【００６３】
次に、本実施の形態に係る受信装置１０の動作について図５を用いて説明する。図５は、データ放送コンテンツの表示更新例を示すフローチャートである。なお、受信装置１０は、優先度を設定する設定手段を有し、データ放送コンテンツをモニタに表示する際に、優先度に基づいて表示する例を挙げて説明する。この優先度は、例えば放送局設備において設定されるものであり、ＰＭＴのデータ符号化方式記述子の上記伝送フォーマットの値に応じた記述領域に「放送コンテンツを優先」、「ＤＳＲＣコンテンツを優先」、「受信機の優先度設定に準拠」等と記述される情報である。また、図５において、「地上デジタル放送」を「地上デジタル」又は「地上」と、「ＤＳＲＣ信号」を「ＤＳＲＣ」と、それぞれ、略記している。
【００６４】
まず、放送受信復調部１１及びＤＳＲＣ受信復号部１２によって、地上デジタル放送波及びＤＳＲＣ信号が受信される（ステップＳ１１、１２）。
【００６５】
具体的には、放送受信復調部１１によって受信された地上デジタル放送波は、音声信号及び映像信号のデータと、放送コンテンツのデータとに分離される。そして、放送受信復調部１１によって、映像信号及び音声信号のデータはデコード部１４に出力され、放送コンテンツのデータはメモリ部１３に蓄積される。また、ＤＳＲＣ受信復号部１２が受信して復号したＤＳＲＣコンテンツは、ＤＳＲＣ受信復号部１２によってメモリ部１３に蓄積される。
【００６６】
ここで、ＤＳＲＣ受信復号部１２は、受信状態が変化するたびにメモリ部１３に蓄積されたＤＳＲＣコンテンツを更新する。受信状態の変化は、例えば、ＤＳＲＣ信号の取得可能エリアに車両が入ったときや、異なるＤＳＲＣ信号の取得可能エリアに車両が入ったとき、又はＤＳＲＣ信号の取得可能エリアから車両が出たとき等に生じる。
【００６７】
ＤＳＲＣ受信復号部１２によって受信されたＤＳＲＣコンテンツは、一旦メモリ部１３に蓄積されるが、既にメモリ部１３にＤＳＲＣコンテンツが存在する場合は最新のバージョンのものに更新される。さらに、ＤＳＲＣコンテンツが受信できなくなった場合は、所定の時間経過後にメモリ部１３に蓄積されたＤＳＲＣコンテンツは消去される。
【００６８】
放送コンテンツ又はＤＳＲＣコンテンツのモジュールが更新された場合は、制御部１６によって、モジュールのアップデートが検出される（ステップＳ１３）。次いで、ＤＳＲＣ受信復号部１２によって、放送コンテンツ又はＤＳＲＣコンテンツのモジュールがメモリ部１３に展開される（ステップＳ１４）。
【００６９】
続いて、制御部１６によって、優先度が判定される（ステップＳ１５）。ステップＳ１５において、優先度が受信機の優先度設定に準拠する設定となっている場合は、制御部１６によって、受信機設定判定が実行される（ステップＳ１６）。
【００７０】
また、ステップＳ１５において、放送コンテンツの優先度がＤＳＲＣコンテンツの優先度よりも高いと判断された場合は、地上デジタルモジュール（放送コンテンツ）を優先して放送コンテンツとＤＳＲＣコンテンツとが併合される（ステップＳ１７）。なお、ステップＳ１６において、受信機の設定が地上デジタル優先（放送コンテンツ優先）となっている場合もステップＳ１７の処理が実行される。
【００７１】
一方、ステップＳ１５において、ＤＳＲＣコンテンツの優先度が放送コンテンツの優先度よりも高いと判断された場合は、制御部１６によって、ＤＳＲＣコンテンツのモジュールがメモリ部１３において消去されているか否かが判定される（ステップＳ１８）。なお、ステップＳ１６において、受信機の設定がＤＳＲＣコンテンツ優先となっている場合もステップＳ１８が実行される。
【００７２】
ステップＳ１８において、ＤＳＲＣコンテンツのモジュールが消去されていると判定された場合、例えばＤＳＲＣコンテンツが受信できなくなってから所定時間が経過した場合は、前述のステップＳ１７に進む。一方、ステップＳ１８において、ＤＳＲＣコンテンツのモジュールが消去されていると判定されなかった場合、例えばＤＳＲＣ信号の取得可能エリアを車両が走行中の場合は、ＤＳＲＣモジュール（ＤＳＲＣコンテンツ）を優先して放送コンテンツとＤＳＲＣコンテンツとが併合される（ステップＳ１９）。
【００７３】
そして、デコード部１４によって、併合されたデータ放送コンテンツがデコードされ、表示部１５によって、更新されたデータ放送コンテンツがモニタに表示される（ステップＳ２０）。
【００７４】
前述のように、優先度を設定し、例えば放送コンテンツよりもＤＳＲＣコンテンツの優先度を上げておけば、ＤＳＲＣ信号の取得可能エリアでない場合には、地上デジタル放送によって放送域全体に送信される放送コンテンツを表示するが、ＤＳＲＣ信号の取得可能エリアにおいては、地域独自のＤＳＲＣコンテンツを表示するというように、受信装置１０は自動的に表示内容を更新することが可能となる。
【００７５】
また、緊急時などにおいては、放送コンテンツの優先度を上げることで、ＤＳＲＣ信号の取得可否に関わらず、放送コンテンツを強制的に表示させることも可能となる。
【００７６】
次に、図６を用いて、本実施の形態に係る受信装置１０によるコンテンツの表示例を説明する。図６は、本実施の形態の受信装置１０が受信したコンテンツをモニタに表示させたときのイメージ図である。なお、図中の「ＴＶ」は、テレビジョン放送の映像が表示される領域を示している。
【００７７】
図６に示すように、地上デジタル放送では、テレビジョン放送の映像信号及び音声信号と、例えば全国のニュース記事及び日本地図の放送コンテンツとを含むコンテンツが伝送される。また、ＤＳＲＣ信号では、地域独自のニュース記事、地域の地図、広告等が伝送される。
【００７８】
受信装置１０は、通常、地上デジタル放送波を受信し、テレビジョン放送と、放送コンテンツ、例えば全国のニュース記事及び日本地図とをモニタに表示する。受信装置１０を搭載した車両が移動し、例えば世田谷のＤＳＲＣ信号取得可能エリアに入ったとき、例えば世田谷ニュース、地域の広告、世田谷区の地図等が、それまで表示されていた放送コンテンツに代わって自動的にモニタに表示される。世田谷のＤＳＲＣ信号取得可能エリアから車両が出て一定時間経過すると、再び全国のニュース記事及び日本地図の放送コンテンツがモニタに表示される。
【００７９】
同様に、車両が例えば八王子のＤＳＲＣ信号取得可能エリアに入ったとき、例えば八王子ニュース、地域のお知らせ等が、それまで表示されていた放送コンテンツに代わって自動的にモニタに表示される。八王子のＤＳＲＣ信号取得可能エリアから車両が出て一定時間経過すると、再び全国のニュース記事及び日本地図の放送コンテンツがモニタに表示される。
【００８０】
以上のように、本実施の形態の受信装置１０によれば、放送コンテンツとＤＳＲＣコンテンツとを併合することによって、ＤＳＲＣコンテンツの更新処理を自動的に行うことができる構成としたので、受信位置情報の取得や負荷の増大する処理を行うことなく、受信位置に応じた地域のコンテンツを受信することができる。
【００８１】
また、本発明のコンテンツ配信システムは、放送コンテンツとＤＳＲＣコンテンツとを併合することによって、受信装置１０に自動的に更新処理を行わせることができ、受信位置情報の取得や負荷の増大する処理を受信装置１０に行わせることなく、受信位置に応じた地域のコンテンツを受信装置１０に受信させることができる。
【００８２】
また、本発明のコンテンツ制作方法は、放送コンテンツとＤＳＲＣコンテンツとを併合することによって、受信位置情報の取得や負荷の増大する処理を受信装置１０に行わせることなく、受信位置に応じた地域のコンテンツを受信装置１０に受信させることができる。
【００８３】
また、本発明のコンテンツ伝送方法は、放送コンテンツとＤＳＲＣコンテンツとを併合することによって、受信位置情報の取得や負荷の増大する処理を受信装置１０に行わせることなく、受信位置に応じた地域のコンテンツを受信装置１０に受信させることができる。
【００８４】
なお、前述の実施の形態において、受信装置１０が、第１のコンテンツとしての放送コンテンツと、第２のコンテンツとしてのＤＳＲＣコンテンツとを受信する構成を例に挙げて説明したが、本発明はこれに限定されるものではなく、広範囲のエリアと局所的なエリアとに向けて送信されるコンテンツを受信する構成であれば同様の効果を得ることができる。
【００８５】
また、前述の実施の形態において、データカルーセル伝送方式による放送コンテンツと同じ名前空間にマッピングされるようＤＳＲＣコンテンツを変換する例を挙げて説明したが、本発明はこれに限定されるものではなく、どちらか一方のフォーマットに他方のフォーマットを変換して両者を併合する構成であれば同様の効果を得ることができる。
【００８６】
また、前述の実施の形態において、受信装置１０を車両に搭載する例を挙げて説明したが、本発明はこれに限定されるものではなく、移動体に搭載される構成であれば同様の効果を得ることができる。
【００８７】
また、前述の実施の形態において、ＰＭＴのデータ符号化方式記述子の上記伝送フォーマットの値に応じた記述領域に優先度を設定する例を挙げて説明したが、本発明はこれに限定されるものではなく、例えば放送コンテンツとＤＳＲＣコンテンツとを併合する際に共有するコンポーネントを示す情報を前述の記述領域に設定する構成であってもよい。
【図面の簡単な説明】
【００８８】
【図１】本実施の形態の受信装置のブロック図
【図２】本実施の形態の受信装置が受信するＤＳＲＣ信号を送信するＤＳＲＣシステムの構成例を示す図
【図３】本実施の形態の受信装置が受信するＤＳＲＣ信号を送信するＤＳＲＣシステムの構成例を示す図
【図４】本実施の形態の受信装置が受信する放送コンテンツの構成の一例を示す図
【図５】本実施の形態の受信装置の各ステップのフローチャート
【図６】本実施の形態の受信装置が受信したコンテンツをモニタに表示させたときのイメージ図
【符号の説明】
【００８９】
１０  受信装置
１１  放送受信復調部（第１のコンテンツ受信手段）
１２  ＤＳＲＣ受信復号部（第２のコンテンツ受信手段）
１３  メモリ部（コンテンツ記憶手段）
１４  デコード部
１５  表示部
１６  制御部（コンテンツ併合手段、コンテンツ更新手段）
２０、３０  ＤＳＲＣシステム
２１、３１  放送局設備
２２、３２  通信ネットワーク
２３ａ、２３ｂ、３１ａ  データ配信設備
２４ａ、２４ｂ、３３ａ、３３ｂ  アンテナ
【図１】
2006319400.tif 000003
【図２】
2006319400.tif 000004
【図３】
2006319400.tif 000005
【図４】
2006319400.tif 000006
【図５】
2006319400.tif 000007
【図６】
2006319400.tif 000008